(57)【要約】【課題】  記録媒体に保存されているファイルの中に関連するファイルがある場合、その関連性をユーザに対して視認可能とする。【解決手段】  記録媒体に保存されているファイルに係る情報をモニタに表示する際に、記録媒体に保存されているファイルのうち、所定のファイルが動画像ファイル又は静止画像ファイルに関連するファイルである場合、動画像ファイルを示す動画サムネイル（第１の画像）１０１又は静止画像ファイルを示す静止画サムネイル（第２の画像）１０２と、所定のファイルに係る情報が存在することを示すアイコン１０４とを関連付けてモニタに表示するようにする。【選択図】  図１
2007079043.tif 000002
【特許請求の範囲】
【請求項１】
記録媒体に保存されているファイルに係る情報を表示する情報表示装置であって、
前記ファイルに係る情報を表示する表示手段と、
前記ファイルのうち、第１のファイルが第２の動画像ファイル又は第３の静止画像ファイルに関連するファイルである場合には、前記第２の動画像ファイルを示す第１の画像又は前記第３の静止画像ファイルを示す第２の画像と、前記第１のファイルに係る情報とを関連付けて前記表示手段に表示する第１の表示制御を行う表示制御手段と
を有することを特徴とする情報表示装置。
【請求項２】
前記表示制御手段は、前記第１のファイルに関連するファイルが前記記録媒体内に存在しない場合には、前記第１のファイルが特定の情報ファイルであることを示す第３の画像を前記表示手段に表示する第２の表示制御を行うことを特徴とする請求項１に記載の情報表示装置。
【請求項３】
前記表示制御手段は、前記第２の動画像ファイル又は前記第３の静止画像ファイルに関連する前記第１のファイルが存在しない場合には、前記第１の画像又は前記第２の画像を前記表示手段に表示する第３の表示制御を行うことを特徴とする請求項１又は２に記載の情報表示装置。
【請求項４】
前記第１の表示制御において前記表示手段に表示される前記第１のファイルに係る情報はアイコンであり、
前記表示制御手段は、当該アイコンを前記第１の画像又は前記第２の画像に重ねて、或いは、当該アイコンを前記第１の画像又は前記第２の画像に並べて前記表示手段に表示することを特徴とする請求項１〜３のいずれか１項に記載の情報表示装置。
【請求項５】
前記第１の表示制御において前記表示手段に表示される前記第１のファイルに係る情報は記号であり、
前記表示制御手段は、当該記号を前記第１の画像又は前記第２の画像に重ねて、或いは、当該記号を前記第１の画像又は前記第２の画像に並べて前記表示手段に表示することを特徴とする請求項１〜３のいずれか１項に記載の情報表示装置。
【請求項６】
前記第１の表示制御において前記表示手段に表示される前記第１のファイルに係る情報は文字であり、
前記表示制御手段は、当該文字を前記第１の画像又は前記第２の画像に重ねて、或いは、当該文字を前記第１の画像又は前記第２の画像に並べて前記表示手段に表示することを特徴とする請求項１〜３のいずれか１項に記載の情報表示装置。
【請求項７】
前記第１の表示制御により前記表示手段に表示されている前記第１の画像又は前記第２の画像に対する第１の操作によって、前記第１のファイルに対する第２の操作を行えるようにしたことを特徴とする請求項１に記載の情報表示装置。
【請求項８】
前記表示制御手段は、前記第２の表示制御を行う際に、前記第１のファイルに係る情報を前記第３の画像に重ねて、或いは、前記第１のファイルに係る情報を前記第３の画像に並べて前記表示手段に表示することを特徴とする請求項２に記載の情報表示装置。
【請求項９】
前記第２の表示制御により前記表示手段に表示されている前記第３の画像に対する第１の操作によって、前記第１のファイルに対する第２の操作を行えるようにしたことを特徴とする請求項２に記載の情報表示装置。
【請求項１０】
前記第３の表示制御により前記表示手段に表示されている前記第１の画像又は前記第２の画像に対しては、操作を行えないようになされていることを特徴とする請求項３に記載の情報表示装置。
【請求項１１】
前記第１の画像は、前記第２の動画像ファイルの先頭の画像であることを特徴とする請求項１〜１０のいずれか１項に記載の情報表示装置。
【請求項１２】
前記第１の画像は、前記第２の動画像ファイルの先頭の画像における縮小画像であることを特徴とする請求項１〜１０のいずれか１項に記載の情報表示装置。
【請求項１３】
前記第１の画像は、前記第２の動画像ファイルの代表画像であることを特徴とする請求項１〜１０のいずれか１項に記載の情報表示装置。
【請求項１４】
前記第１の画像は、前記第２の動画像ファイルの代表画像における縮小画像であることを特徴とする請求項１〜１０のいずれか１項に記載の情報表示装置。
【請求項１５】
前記第１の画像は、前記第２の動画像ファイルの再生画像であることを特徴とする請求項１〜１０のいずれか１項に記載の情報表示装置。
【請求項１６】
前記第１の画像は、前記第２の動画像ファイルの再生画像における縮小画像であることを特徴とする請求項１〜１０のいずれか１項に記載の情報表示装置。
【請求項１７】
前記第２の画像は、前記第３の静止画像ファイルの縮小画像であることを特徴とする請求項１〜１６のいずれか１項に記載の情報表示装置。
【請求項１８】
前記表示制御手段は、前記第１のファイルのファイル名と、前記第２の動画像ファイル又は前記第３の静止画像ファイルのファイル名とが一致するか否かの検出結果に基づいて、前記第１の表示制御又は前記第２の表示制御を選択することを特徴とする請求項２に記載の情報表示装置。
【請求項１９】
前記表示制御手段は、前記第１のファイル内に記述されている関連する画像ファイル名の検出結果に基づいて、前記第１の表示制御又は前記第２の表示制御を選択することを特徴とする請求項２に記載の情報表示装置。
【請求項２０】
前記表示制御手段は、前記第２の動画像ファイル内及び前記第３の静止画像ファイル内に記述されている関連するファイル名の検出結果に基づいて、前記第１の表示制御又は前記第２の表示制御を選択することを特徴とする請求項２に記載の情報表示装置。
【請求項２１】
記録媒体に保存されているファイルに係る情報を表示する表示手段を具備する情報表示装置の制御方法であって、
前記ファイルのうち、第１のファイルが第２の動画像ファイル又は第３の静止画像ファイルに関連するファイルである場合には、前記第２の動画像ファイルを示す第１の画像又は前記第３の静止画像ファイルを示す第２の画像と、前記第１のファイルに係る情報とを関連付けて前記表示手段に表示する第１の表示制御を行うことを特徴とする情報表示装置の制御方法。
【請求項２２】
前記第１のファイルに関連するファイルが前記記録媒体内に存在しない場合には、前記第１のファイルが特定の情報ファイルであることを示す第３の画像を前記表示手段に表示する第２の表示制御を行うことを特徴とする請求項２１に記載の情報表示装置の制御方法。
【請求項２３】
前記第２の動画像ファイル又は前記第３の静止画像ファイルに関連する前記第１のファイルが存在しない場合には、前記第１の画像又は前記第２の画像を前記表示手段に表示する第３の表示制御を行うことを特徴とする請求項２１又は２２に記載の情報表示装置の制御方法。
【発明の詳細な説明】
【技術分野】
【０００１】
本発明は、記録媒体に保存されているファイルに係る情報を表示する情報表示装置及びその制御方法に関するものである。
【背景技術】
【０００２】
従来、パーソナルコンピュータ（以下、「ＰＣ」と称する）内に保存されているファイルをディスプレイモニタ上に一覧表示する技術がある。例えば、ＰＣが有するハードディスクドライブ（以下、「ＨＤＤ」と称する）に複数のファイルが保存されている場合、通常ファイルは、ドライブ及びドライブ内部のフォルダ単位で管理される。このとき、ファイル一覧を表示するためのファイル管理プログラム上で特定のドライブ又はフォルダを指定することで、前記ファイル管理プログラムは、指定ドライブ又はフォルダ上に保存されているファイルの一覧表示を行う。
【０００３】
図４は、従来のファイル管理プログラムを用いた一覧表示の例を示す図である。
図４において４は、従来のファイル管理プログラムによる一覧表示画面であり、図４の状態は、Ｃドライブの"Ｄａｔａ"フォルダが指定されている状態である。図４のファイル管理プログラムによる一覧表示画面４上には、Ｃドライブ内に保存されるデータの内容として、以下の５つのファイルのデータが表示されている。動画像ファイル"ＦＩＬＥ０００１．ｍｐｅｇ"、静止画像ファイル"ＦＩＬＥ０００２．ｊｐｇ"、テキストファイル"ＦＩＬＥ０００１．ｔｘｔ"、"ＦＩＬＥ０００２．ｔｘｔ"、及び"ＦＩＬＥ０００３．ｔｘｔ"である。
【０００４】
図４において４０１は、動画像ファイル"ＦＩＬＥ０００１．ｍｐｅｇ"の先頭画像の縮小画像（以下、「動画サムネイル」と称する）である。図４において４０２は、静止画像ファイル"ＦＩＬＥ０００２．ｊｐｇ"の縮小画像（以下、「静止画サムネイル」と称する）である。また、テキストファイル"ＦＩＬＥ０００１．ｔｘｔ"、"ＦＩＬＥ０００２．ｔｘｔ"、及び"ＦＩＬＥ０００３．ｔｘｔ"は画像ファイルではないので、縮小画像が存在しない。そのため、各テキストファイルに対しては、テキストファイルに対応した画像（アイコン）４０３を表示する。このように一覧表示の際には、各ファイルごとに個別のサムネイルやアイコンを表示するのが一般的である。
【０００５】
また、動画像、静止画像、文書或いは音声の各ファイルから１つ乃至複数の縮小画像を作成して、コンピュータのモニタ上にアイコンとして表示する技術として、下記の特許文献１のものが提案されている。特許文献１によると、特に、音声ファイルから複数の縮小画像を作成して、それらを合成して１つの縮小画像とした上でアイコン化して表示可能なようにしている。
【０００６】
【特許文献１】特開平７−１６０４６６号公報
【発明の開示】
【発明が解決しようとする課題】
【０００７】
ここで、図４における"ＦＩＬＥ０００１．ｔｘｔ"が、"ＦＩＬＥ０００１．ｍｐｅｇ"に関する情報が記載されたファイルであり、"ＦＩＬＥ０００２．ｔｘｔ"が、"ＦＩＬＥ０００２．ｊｐｇ"に関する情報が記載されたファイルであるとする。このような場合、"ＦＩＬＥ０００１．ｔｘｔ"と"ＦＩＬＥ０００１．ｍｐｅｇ"、"ＦＩＬＥ０００２．ｔｘｔ"と"ＦＩＬＥ０００２．ｊｐｇ"をそれぞれ関連付けて表示することが望ましい。
【０００８】
しかしながら、上述した従来技術の構成では、一覧画面上で各ファイルを表示できたとしても、関連するファイルがあることを強調して表示することはできなかった。従って、一覧表示されたサムネイルやアイコンを見た限りでは、ユーザーは関連するファイルがどれなのか分からなかった。
【０００９】
また、上述した特許文献１の構成では、結果として複数の縮小画像を１つにして表示してはいるが、ファイルから縮小画像を自ら複数枚新たに作成し、それから１枚の縮小画像に合成してアイコンを作成するというものであった。このため、アイコンを新規に作成するための構成や、そのための手間が必要となっていた。さらに、特許文献１の構成では、別個に存在する関連する複数のファイルに対してその関連性を強調表示したり、関連するファイルの複数のアイコンを１つにまとめたりすることはできなかった。
【００１０】
一方、昨今は記録媒体の大容量化が進んでおり、記録媒体内に保存されるファイル数が膨大になってきている。記録媒体内に保存された、フォルダ内の動画像ファイル、静止画像ファイル、及び当該動画像ファイルや当該静止画像ファイルに関する情報が記載されたファイル等の数が多くなると、一覧表示する場合にファイル数が多い理由から、以下の点が問題となる。それは、一覧表示する場合に、表示処理の負荷が増大することや、表示された画面が見辛くなることである。従って、ユーザにとっては、関連するファイルを判別したり、その後の操作を行うことが一層困難となる。
【００１１】
本発明は、上述の如き課題を鑑みてなされたものであり、記録媒体に保存されているファイルの中に関連するファイルがある場合、その関連性をユーザに対して視認可能とする情報表示装置及びその制御方法を提供することを目的とする。
【００１２】
また、記録媒体に保存されている複数ファイルを一覧表示する際に、関連するファイルのアイコンを１つにまとめて表示できるようにすることを更なる目的とする。さらに、記録媒体に保存されている複数ファイルを一覧表示する際に、表示のための処理負荷を軽減し、観やすく操作しやすい画面環境をユーザに提供できるようにすることを更なる目的とする。
【課題を解決するための手段】
【００１３】
本発明の情報表示装置は、記録媒体に保存されているファイルに係る情報を表示する情報表示装置であって、前記ファイルに係る情報を表示する表示手段と、前記ファイルのうち、第１のファイルが第２の動画像ファイル又は第３の静止画像ファイルに関連するファイルである場合には、前記第２の動画像ファイルを示す第１の画像又は前記第３の静止画像ファイルを示す第２の画像と、前記第１のファイルに係る情報とを関連付けて前記表示手段に表示する第１の表示制御を行う表示制御手段とを有する。
【００１４】
本発明の情報表示装置の制御方法は、記録媒体に保存されているファイルに係る情報を表示する表示手段を具備する情報表示装置の制御方法であって、前記ファイルのうち、第１のファイルが第２の動画像ファイル又は第３の静止画像ファイルに関連するファイルである場合には、前記第２の動画像ファイルを示す第１の画像又は前記第３の静止画像ファイルを示す第２の画像と、前記第１のファイルに係る情報とを関連付けて前記表示手段に表示する第１の表示制御を行う。
【発明の効果】
【００１５】
本発明によれば、記録媒体に保存されているファイルの中に関連するファイルがある場合、その関連性をユーザに対して視認可能とすることができる。これにより、ユーザの操作環境を向上させることが可能となる。
【００１６】
また、本発明の他の特徴によれば、記録媒体に保存されている複数ファイルを一覧表示する際に、関連するファイルのアイコンを１つにまとめて表示することができる。さらに、記録媒体に保存されている複数ファイルを一覧表示する際に、表示のための処理負荷を軽減し、観やすく操作しやすい画面環境をユーザに提供することができる。
【発明を実施するための最良の形態】
【００１７】
以下、本発明の好適な実施形態について、添付図面を参照して詳細に説明する。
図５は、本実施形態に係る情報表示装置を含む情報表示システムの概略構成図である。
図５に示すように、この情報表示システムでは、デジタルビデオカメラ等の撮像装置５１とパーソナルコンピュータ（ＰＣ）５６とを接続して、或いは独立的に使用するものである。ここで、撮像装置５１は表示モニタ５２を備え、ＰＣ５６はモニタ５５を備えており、本実施形態に係る情報表示装置としては、この撮像装置５１、或いはＰＣ５６に適用することが可能である。
【００１８】
撮像装置５１とＰＣ５６との間は、ＵＳＢ若しくはＩＥＥＥ１３９４等の有線のデジタルインタフェース５３、または無線ＬＡＮ等のワイヤレスインタフェースで接続されており、データファイルの送受信が可能な構成となっている。また、撮像装置５１とＰＣ５６とでは、共通に使用可能な半導体メモリカード等の着脱式記録媒体５４を介してデータファイルの送受信が可能となっている。
【００１９】
撮像装置５１は、撮影動作を行って、静止画像ファイルや動画像ファイルを生成する。また、撮像装置５１は、撮影の設定に係るパラメータ等を記述した設定情報ファイルを生成することができる。この設定情報ファイルは、撮影画像毎に生成することも可能であって、その場合、各撮影画像に対応する静止画像ファイルや動画像ファイルに関連付けて生成されることになる。撮像装置５１において、このようにして生成された動画像ファイルや静止画像ファイル及び設定情報ファイルは、着脱式記録媒体５４内に保存されたり、デジタルインタフェース５３を介してＰＣ５６へ伝送されたりして、再生時に参照される。
【００２０】
図６は、本実施形態に係る情報表示装置の概略構成図である。前述したように、本実施形態に係る情報表示装置は、図５の撮像装置５１或いはＰＣ５６に適用することが可能である。
【００２１】
図６において６１は、上述した着脱式記録媒体５４或いは内蔵するハードディスク等の記録媒体である。図６において６２は、デジタルインタフェース５３に接続されるＤＩＦ部である。図６において６３は、マイクロコンピュータ等で構成されるＣＰＵであり、情報表示装置における制御動作を統括的に制御するである。図６において６４は、各種処理を行う際に使用する内部メモリである。
【００２２】
図６において６５は、記録媒体６１内のデータファイルやＤＩＦ部６２から入力された情報に基づいて、データファイルを再生する再生処理部である。図６において６６は、モニタ６７に表示を行う際に動作する表示インタフェースである。ここで、モニタ６７は、図５に示した表示モニタ５２又はモニタ５５に対応する。図６において６８は、当該情報表示装置に対して入力操作を行う際に用いる操作部である。ここで、操作部６８は、図６の撮像装置５１であれば十字操作ボタン、ＰＣ５６であればマウス等に相当する。
【００２３】
本実施形態に係る情報表示装置では、再生表示の際に、ＣＰＵ６３がメモリ６４を用いながらファイル管理プログラムを実行して、再生処理部６５に対してデータファイル及び付随する情報の再生動作を行わせる。そして、表示インタフェース６６を介してモニタ６７に表示画像を出力させる。ここで、ＣＰＵ６３によって実行されるファイル管理プログラムに基づいて、再生処理部６５が記録媒体６１内のデータファイルやＤＩＦ部６２から入力された情報に基づくデータファイルを再生し、モニタ６７にその再生画像を表示する際の動作について説明する。
【００２４】
図１は、本実施形態に係る情報表示装置において、ファイル管理プログラムを用いた一覧表示の例を示す図である。
図１において１は、本実施形態のファイル管理プログラムによる一覧表示画面であり、図１の状態は、Ｃドライブの"Ｄａｔａ"フォルダが指定されている状態である。ドライブの指定先を変更することで異なる記録媒体内のデータファイルを参照できたり、ＤＩＦ部６２とデジタルインタフェース５３を介して接続された外部機器が有する記録媒体内のデータファイルを参照することができる。さらに、フォルダの指定先を変更することで、指定されたドライブにおける異なる場所に保存されているデータファイルを参照できるようになる。例えば、図１のＣドライブの"Ｄａｔａ"フォルダには、以下の５つのファイルのデータが保存されている。動画像ファイル"ＦＩＬＥ０００１．ｍｐｅｇ"、静止画像ファイル"ＦＩＬＥ０００２．ｊｐｇ"、テキストファイル"ＦＩＬＥ０００１．ｔｘｔ"、"ＦＩＬＥ０００２．ｔｘｔ"、及び"ＦＩＬＥ０００３．ｔｘｔ"である。
【００２５】
テキストファイル"ＦＩＬＥ０００１．ｔｘｔ"は、動画像ファイル"ＦＩＬＥ０００１．ｍｐｅｇ"に関する情報が記載されたファイルである。また、テキストファイル"ＦＩＬＥ０００２．ｔｘｔ"は、静止画像ファイル"ＦＩＬＥ０００２．ｊｐｇ"に関する情報が記載されたファイルである。
【００２６】
ここで、例えば、テキストファイル"ＦＩＬＥ０００１．ｔｘｔ"と、動画像ファイル"ＦＩＬＥ０００１．ｍｐｅｇ"との関係は、上述した設定情報ファイルと動画像ファイルとの関係に相当する。同じく、テキストファイル"ＦＩＬＥ０００２．ｔｘｔ"と、静止画像ファイル"ＦＩＬＥ０００２．ｊｐｇ"との関係は、上述した設定情報ファイルと静止画像ファイルとの関係に相当する。
【００２７】
ファイル管理プログラムによる一覧表示画面１上には、動画像ファイル"ＦＩＬＥ０００１．ｍｐｅｇ"の先頭画像を縮小した画像である動画サムネイル１０１、静止画像ファイル"ＦＩＬＥ０００２．ｊｐｇ"の画像を縮小した画像である静止画サムネイル１０２及びテキストファイル"ＦＩＬＥ０００３．ｔｘｔ"に対応した画像（アイコン）１０３を表示する。
【００２８】
従来の方法であると、図４のようになってしまうところ、本実施形態では、テキストファイル"ＦＩＬＥ０００１．ｔｘｔ"とテキストファイル"ＦＩＬＥ０００２．ｔｘｔ"は、それぞれ関連する画像ファイルがあるために、関連する画像ファイルがないテキストファイル"ＦＩＬＥ０００３．ｔｘｔ"と同じ形態では表示されなくなる。
【００２９】
具体的に、テキストファイル"ＦＩＬＥ０００１．ｔｘｔ"、及びテキストファイル"ＦＩＬＥ０００２．ｔｘｔ"は、それぞれ動画像ファイル"ＦＩＬＥ０００１．ｍｐｅｇ"、及び静止画像ファイル"ＦＩＬＥ０００２．ｊｐｇ"に関する情報が記載されたファイルであるため、各画像ファイルにおけるサムネイル１０１及び１０２に重ねて、関連する情報ファイルが存在することを示すアイコン１０４を表示する形態となっている。
【００３０】
各テキストファイルと画像ファイルとの関連性を判別するには、例えば、拡張子を除いたファイル名が一致するファイルを関連付けたり、テキストファイル内に関連する画像ファイル名を記載しておいたり、画像ファイルのヘッダ部やフッタ部に関連する情報ファイル名を記載しておいたりする方法のいずれか或いは複合させた方法を利用する。
【００３１】
また、テキストファイル"ＦＩＬＥ０００３．ｔｘｔ"は、関連する画像ファイルがＣドライブの"Ｄａｔａ"フォルダ上に存在しないため、テキストファイルに対応した画像１０３が表示されている。このテキストファイルについては、テキストファイル"ＦＩＬＥ０００１．ｔｘｔ"及び"ＦＩＬＥ０００２．ｔｘｔ"と同じ形式のファイルであるという理由から、画像１０３に重ねて、関連する情報ファイルがあることを示すアイコン１０４を表示する。
【００３２】
なお、図１中には示していないが、関連する情報ファイルが存在しない動画像ファイル又は静止画像ファイルが、Ｃドライブの"Ｄａｔａ"フォルダに存在する場合は、動画サムネイル又は静止画サムネイルのみを表示し、アイコン１０４を重ねて表示しない。
【００３３】
本実施形態では、画像サムネイルとアイコン１０４とを重ねて表示する例を説明したが、重ねる方法については、対象となる画像サムネイルを表示した上に、アイコン１０４のビットマップデータを重ねることによって容易に実現できる。また、本実施形態では各画像サムネイルにアイコン１０４を重ねて表示しているが、画像サムネイルの横や、上下の位置にアイコン１０４並べて表示するように変形することも可能である。また、本実施形態ではアイコンを使用しているが、関連するファイルがあることを示す記号や文字等を使用することも可能である。
【００３４】
次に図２及び図３を用いて、表示された各サムネイルに対する操作について説明する。まず、図２で動画サムネイルに対する操作を説明する。なお、図２中、図１と同一の符号が付されたものは、図１の説明中のものと同じであるため、説明を省略する。
【００３５】
ユーザーが操作部６８を操作することにより、例えばマウスカーソルを動画サムネイル１０１上に移動させ、マウスの右ボタンをクリックするとファイル管理プログラム１は、メニューを表示する。図２中の２０１がそのとき表示されるメニューの例である。
【００３６】
本実施形態では、テキストファイルには、動画像或いは静止画像の撮影時の設定情報（撮影したカメラの設定、撮影日時、撮影場所等）が保存されているものであるので、このようなメニューが表示されるが、その他のメニュー内容であっても良い。
【００３７】
既に説明したように、動画像ファイル"ＦＩＬＥ０００１．ｍｐｅｇ"には、関連するテキストファイル"ＦＩＬＥ０００１．ｔｘｔ"が存在するため、ファイル管理プログラム１ではメニュー２０１を表示する。そして、ユーザがさらにメニュー２０１の「撮影情報を表示」アイテムをマウスの左ボタンでクリックすると、ファイル管理プログラム１は、テキストファイル"ＦＩＬＥ０００１．ｔｘｔ"の内容を表示する。
【００３８】
静止画サムネイル１０２上でマウスの右ボタンをクリックした場合も、ユーザは同様の操作でテキストファイル"ＦＩＬＥ０００２．ｔｘｔ"の内容を確認することができる。ここで、例えば関連するテキストファイルが存在しない動画像ファイル又は静止画像ファイルが右クリックされた場合は、メニューを表示しないか、或いはアイテムをクリックすることができない状態でメニューを表示すればよい。
【００３９】
次に、図３でテキストファイルに対応した画像に対する操作を説明する。図３中、図１と同一の符号が付されたものは、図１の説明中のものと同じであるため、説明を省略する。
【００４０】
ユーザが操作部６８を操作することにより、例えばマウスカーソルをテキストファイルに対応した画像１０３上に移動させ、マウスの右ボタンをクリックするとファイル管理プログラム１は、メニューを表示する。図３中の３０１がそのとき表示されるメニューの例である。
【００４１】
テキストファイル"ＦＩＬＥ０００３．ｔｘｔ"には、同一フォルダ上に関連する画像ファイルが存在しないが、カメラの設定等の情報が保存されている。保存されているデータの形式は、テキストファイル"ＦＩＬＥ０００１．ｔｘｔ"、 テキストファイル"ＦＩＬＥ０００２．ｔｘｔ"と同一である。そのため、メニュー３０１の内容は図２中のメニュー２０１と同じである。具体的には、図２中のメニュー２０１に対する操作と同様に、ユーザがさらにメニュー３０１の「撮影情報を表示」アイテムをマウスの左ボタンでクリックすると、ファイル管理プログラム１は、テキストファイル"ＦＩＬＥ０００３．ｔｘｔ"の内容を表示する。
【００４２】
次に、本実施形態に係る情報表示装置の制御方法について説明する。
図７は、本実施形態に係る情報表示装置の制御方法を示すフローチャートである。
まず、ステップＳ７１では、ＣＰＵ６３は、記録媒体６１に保存されているファイルを検出する。
【００４３】
続いて、ステップＳ７２では、ＣＰＵ６３は、ステップＳ７１で検出したファイルの中に画像ファイルがあるか否かを判断する。このステップＳ７２における画像ファイルとしては、前述した動画像ファイル"ＦＩＬＥ０００１．ｍｐｅｇ"や、静止画像ファイル"ＦＩＬＥ０００２．ｊｐｇ"が相当する。そして、ステップＳ７２で画像ファイルがあると判断された場合にはステップＳ７３に進み、一方、ステップＳ７２で画像ファイルがないと判断された場合にはステップＳ７６に進む。
【００４４】
ステップＳ７３では、ＣＰＵ６３は、第１のファイル（本実施形態では、テキストファイル）に関連する画像ファイルがあるか否かを判断する。
【００４５】
ステップＳ７３で第１のファイルに関連する画像ファイルがあると判断された場合、続いて、ステップＳ７４では、ＣＰＵ６３は、画像ファイルを示す画像と、当該第１のファイルに係る情報とを関連付けてモニタ６７に表示する第１の表示制御を行う。その後、処理を終了する。
【００４６】
ステップＳ７３の第１の表示制御は、図１に示す例では、テキストファイル"ＦＩＬＥ０００１．ｔｘｔ"が動画像ファイル"ＦＩＬＥ０００１．ｍｐｅｇ"に関する情報が記載されたファイルであるため、この動画像ファイルを示す動画サムネイル（第１の画像）１０１と、当該テキストファイルに係る情報が存在することを示すアイコン１０４とを関連付けてモニタ６７に表示している。また、図１に示す例では、テキストファイル"ＦＩＬＥ０００２．ｔｘｔ"が静止画像ファイル"ＦＩＬＥ０００２．ｊｐｇ"に関する情報が記載されたファイルであるため、この静止画像ファイルを示す静止画サムネイル（第２の画像）１０２と、当該テキストファイルに係る情報が存在することを示すアイコン１０４とを関連付けてモニタ６７に表示している。
【００４７】
一方、ステップＳ７３で第１のファイルに関連する画像ファイルがないと判断された場合、続いて、ステップＳ７５では、ＣＰＵ６３は、動画像ファイルに対しては動画サムネイル（第１の画像）１０１をモニタ６７に表示し、静止画像ファイルに対しては静止画サムネイル（第２の画像）１０２をモニタ６７に表示する第３の表示制御を行う。その後、ステップＳ７６に進む。
【００４８】
ステップＳ７６では、ＣＰＵ６３は、ステップＳ７１で検出したファイルの中に、第１のファイル（本実施形態では、テキストファイル）に関連するファイルがあるか否かを判断する。
【００４９】
ステップＳ７６で第１のファイルに関連するファイルがないと判断された場合、続いて、ステップＳ７７では、ＣＰＵ６３は、第１のファイルが特定の情報ファイルであることを示す第３の画像をモニタ６７に表示する第２の表示制御を行う。図１に示す例では、第３の画像として、画像（アイコン）１０３を表示している。
【００５０】
一方、ステップＳ７６で第１のファイルに関連するファイルがないと判断された場合、続いて、ステップＳ７８では、ＣＰＵ６３は、当該第１のファイルを示す第３の画像に、関連するファイルに係る情報を関連付けてモニタ６７に表示する表示制御を行う。その後、処理を終了する。
【００５１】
本実施形態では、動画サムネイル１０１は、動画像ファイルの先頭画像の縮小画像として説明を行ったが、ユーザが指定する動画像中の任意の画像を代表画像としてその代表画像を縮小した画像や、動画像ファイルの先頭画像そのもの、代表画像そのもの、また、動画像ファイルの再生画像や再生画像の縮小画像を用いても良い。
【００５２】
また、静止画サムネイル１０２は、静止画像ファイルの画像を縮小した画像として説明を行ったが、静止画像ファイルの画像そのものを用いても良い。
【００５３】
以上説明したように、本実施形態によれば、記録媒体６１に保存されている画像ファイルに関連したファイルが存在する場合、当該画像ファイルのサムネイル上にアイコン等を表示することによって、その関連性をユーザに対して視認可能とすることができる。これにより、ユーザの操作環境を向上させることが可能となる。さらに、一覧表示画面１上に表示する画像を減らすこともできる。また、ファイル間の関連付けがプログラムによって明示的に示されるため、記録媒体６１に保存されているファイルに係る情報の参照が容易になる。また、画像ファイルに関連付けられているファイルと関連付けられていないファイルとが混在しても、統一的なユーザインターフェースを提供することができる。
【００５４】
前述した本実施形態に係る情報表示装置を構成する図６の各手段、並びに情報表示装置の制御方法を示した図７の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５５】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５６】
また、コンピュータが供給されたプログラムを実行することにより本実施形態に係る情報表示装置の機能が実現されるだけでなく、そのプログラムがコンピュータにおいて稼働しているＯＳ（オペレーティングシステム）、或いは他のアプリケーションソフト等と共同して本実施形態に係る情報表示装置の機能が実現される場合や、供給されたプログラムの処理の全て、或いは一部がコンピュータの機能拡張ボードや機能拡張ユニットにより行われて本実施形態に係る情報表示装置の機能が実現される場合も、かかるプログラムは本発明に含まれる。
【図面の簡単な説明】
【００５７】
【図１】本実施形態に係る情報表示装置において、ファイル管理プログラムを用いた一覧表示の例を示す図である。
【図２】本実施形態に係る情報表示装置において、ファイル管理プログラムでの動画像ファイルに対する操作を示した図である。
【図３】本実施形態に係る情報表示装置において、ファイル管理プログラムでのテキストファイルに対する操作を示した図である。
【図４】従来のファイル管理プログラムを用いた一覧表示の例を示す図である。
【図５】本実施形態に係る情報表示装置を含む情報表示システムの概略構成図である。
【図６】本実施形態に係る情報表示装置の概略構成図である。
【図７】本実施形態に係る情報表示装置の制御方法を示すフローチャートである。
【符号の説明】
【００５８】
１  ファイル管理プログラム
５１  撮像装置
５２  表示モニタ
５３  デジタルインタフェース
５４  着脱式記録媒体
５５  モニタ
５６  パーソナルコンピュータ（ＰＣ）
６１  記録媒体
６２  ＤＩＦ部
６３  ＣＰＵ
６４  内部メモリ
６５  再生処理部
６６  表示インタフェース
６７  モニタ
６８  操作部
１０１  動画サムネイル
１０２  静止画サムネイル
１０３  テキストファイルに対応した画像（アイコン）
１０４  関連する情報ファイルがあることを示すアイコン
【図１】
2007079043.tif 000003
【図２】
2007079043.tif 000004
【図３】
2007079043.tif 000005
【図４】
2007079043.tif 000006
【図５】
2007079043.tif 000007
【図６】
2007079043.tif 000008
【図７】
2007079043.tif 000009